(57)【要約】【課題】障害者が開封しやすく、食事用器具や調味料を取り出しやすく、すぐに使用でき、容易に弁当を食べることができる弁当用容器を提供する。【解決手段】弁当用容器１は、容器本体２の開放上面を覆う蓋５０が第１ポケット６９と第２ポケット７０を有し、該第１ポケット６９と該第２ポケット７０が対向配置されて共通のポケット口７１を有する。前記第１ポケット６９には食事用器具１０４が差し込まれ、該食事用器具１０４の一部が前記蓋５０の前記第１ポケット６９から前記第２ポケット７０の上にはみ出ている。前記第２ポケット７０には調味料を充填封入した包装体１０５が収容され、該包装体１０５の一部が前記蓋５０に開口された透孔７６を通して外から見える。【選択図】図１０
2007275340.tif 000002
【特許請求の範囲】
【請求項１】
容器本体の開放上面を覆う蓋がポケットを有し、該ポケットに食事用器具が差し込まれ、該食事用器具の一部が前記ポケットから前記蓋の上にはみ出ていることを特徴とする弁当用容器。
【請求項２】
容器本体の開放上面を覆う蓋がポケットを有し、該ポケットに調味料を充填封入した包装体が収容され、該包装体の一部が前記蓋に開口された透孔を通して外から見えることを特徴とする弁当用容器。
【請求項３】
容器本体の開放上面を覆う蓋が第１ポケットと第２ポケットを有し、該第１ポケットと該第２ポケットが対向配置されて共通のポケット口を有し、前記第１ポケットに食事用器具が差し込まれ、該食事用器具の一部が前記蓋の前記第１ポケットから前記第２ポケットの上にはみ出ていると共に、前記第２ポケットに調味料を充填封入した包装体が収容され、該包装体の一部が前記蓋に開口された透孔を通して外から見えることを特徴とする弁当用容器。
【請求項４】
容器本体と蓋の間に係合手段を有し、該係合手段が容器本体と蓋の一方に有するスリット状の係合孔と他方に有する係合片でなり、該係合片の該係合孔への差し込みによって前記蓋が前記容器本体に閉状態で係合保持される請求項１乃至３に記載の弁当用容器。
【発明の詳細な説明】
【技術分野】
【０００１】
本発明は、弁当用容器に関し、特に障害者などに提供される弁当用の容器に関する。
【背景技術】
【０００２】
一般的に弁当には、箸、スプーン、フォーフ、ナイフなどの食事用器具や醤油、ソース、塩などの調味料を樹脂フィルムなどの袋状容器に充填封入した包装体などが添えられる。例えば特許文献１では箸などの収容部が蓋内側面に形成され、特許文献２では調味料入れ容器の保持部が上蓋部の内面に設けられ、特許文献３では箸、スプーン等の箸類を差込み可能な箸類収容部が容器本体又は蓋の側面に設けられ、特許文献４では蓋部の上に箸等の棒状部材を置き、その上から容器に封止帯がかけられ、特許文献５では調味料設置用の凹部と箸設置用の溝が蓋の上面に形成され、凹部に調味料を置き、その上に箸設置用の溝を介して箸をかけ渡し、その上から容器にゴムバンドがかけられ、食事用器具や調味料が容器の内外に保持される。
【特許文献１】特開２００１−２４００４０号公報
【特許文献２】特開２００４−８９６３７号公報
【特許文献３】特開平９−２４４７号公報
【特許文献４】特開２００４−１３６９０２号公報
【特許文献５】特開２００１−２９９４３０号公報
【発明の開示】
【発明が解決しようとする課題】
【０００３】
障害者が弁当を食べるに当たって、容器が開封しやすいことも重要であるが、食事用器具や調味料が取り出しやすく、すぐに使用できることが重要である。特許文献１、２のように食事用器具や調味料が容器内に収容された場合、食事用器具や調味料の所在が外見ではわからず、容器を開封して初めてわかるため、食事用器具や調味料が取り出しにくい。特に視覚障害者などにとっては食事用器具や調味料の所在が容器の外表面を手や指で触ってもわからない場合、弁当に食事用器具や調味料が添えられていないかのような印象を与える。また容器を開封して食事用器具や調味料を探そうとした場合、蓋の内面やおかずなどに手や指が触れて汚れてしまう。一方、特許文献３、４、５のように食事用器具や調味料が容器外に保持される場合でも、特許文献３のように食事用器具が容器の側面に保持された場合、食事用器具のすぐ下にテーブルなどがあるため、特に手や指が不自由な人などにとってはテーブルが邪魔になり食事用器具が取り出しにくい。特許文献４、５のように食事用器具や調味料が容器の蓋の上（容器の天面）に保持された場合、食事用器具や調味料の所在が視覚障害者などにとってもわかりやすいが、食事用器具や調味料が容器にかけられた封止帯やゴムバンドなどで容器の蓋の上に保持されているため、特に手や指が不自由な人などにとっては封止帯やゴムバンドなどの存在で開封しにくい容器になる。
【０００４】
本発明が解決しようとする課題は、障害者が開封しやすく、食事用器具や調味料を取り出しやすく、すぐに使用でき、容易に弁当を食べることができる弁当用容器を提供することにある。
【課題を解決するための手段】
【０００５】
本発明の請求項１に記載の弁当用容器は、容器本体の開放上面を覆う蓋がポケットを有し、該ポケットに食事用器具が差し込まれ、該食事用器具の一部が前記ポケットから前記蓋の上にはみ出ていることを特徴とする。
【０００６】
上記構成を有する本発明の請求項１に記載の弁当用容器は、箸、スプーン、フォーフ、ナイフなどの食事用器具が容器本体の開放上面を覆う蓋に有するポケットに差し込まれ、前記食事用器具の一部が該ポケットから前記蓋の上にはみ出ているので、視覚障害者などにとっても食事用器具の所在がすぐにわかり、食事用器具が取り出しやすい。また手や指が不自由な人などにとっても取り出しやすい。
【０００７】
本発明の請求項１に記載の弁当用容器では、食事用器具の一部がポケットから蓋の上の偏奇した箇所ではみ出ていることが好ましい。この構成を採用することで、視覚障害者などが弁当を食べる際、一部がポケットから蓋の上の偏奇した箇所ではみ出ている食事用器具の取り出しによって視覚障害者などに弁当の前後左右を対応させることができる。つまり右利きの視覚障害者などが食事用器具をポケットから取り出す際には、ポケットから蓋の上にはみ出ている食事用器具の一部を把持し、該食事用器具をポケットから右側に抜き取ることが自然で、容易である。この時の視覚障害者などに対する容器本体の前後左右と弁当の前後左右とが一致するように、該容器本体に弁当を詰めることで、該食事用器具の取り出しによって視覚障害者などに弁当の前後左右を対応させることができる。
【０００８】
本発明の請求項１に記載の弁当用容器では、ポケットが、蓋と、該蓋の内面に周縁部の一部を残して接合されるシート体と、前記蓋の前記シート体の非接合部に対応する部位に形成される切り込みと、から構成されていることが好ましい。この構成を採用することで、ポケットを容易に、かつコスト高を殆ど招くことなく形成することができる。
【０００９】
本発明の請求項１に記載の弁当用容器では、シート体が樹脂フィルムであることが好ましい。この構成を採用することで、シート体が弁当の水分、油分、熱などに耐性を有し、変質したり損壊しないので、食事用器具を弁当に該弁当と分けて衛生的に添付することができる。
【００１０】
本発明の請求項１に記載の弁当用容器では、切り込みがポケットに対する食事用器具の挿入方向に向かって凸形状に形成されていることが好ましい。この構成を採用することで、食事用器具をポケットの口、つまり切り込みを通して該ポケットに差し込む際、及び食事用器具を切り込みを通して該ポケットから抜き取る際、該切り込みで囲われた片持ち梁の舌片状の部分がガイドとなり、食事用器具が抜き差ししやすく、視覚障害者などや手や指が不自由な人などが食事用器具を取り出しやすい。
【００１１】
また、本発明の請求項２に記載の弁当用容器は、容器本体の開放上面を覆う蓋がポケットを有し、該ポケットに調味料を充填封入した包装体が収容され、該包装体の一部が前記蓋に開口された透孔を通して外から見えることを特徴とする。
【００１２】
上記構成を有する本発明の請求項２に記載の弁当用容器は、醤油、ソース、塩などの調味料を樹脂フィルムなどの袋状容器に充填封入した包装体が容器本体の開放上面を覆う蓋に有するポケットに収容され、該包装体の一部が前記蓋に開口された透孔を通して外から見え、指先でも触ることもできるので、視覚障害者などにとっても調味料（包装体）の所在がすぐにわかり、調味料が取り出しやすい。また手や指が不自由な人などにとっても取り出しやすい。また包装体がおかずなどと混在しないので、調味料を使用する際に手や指を汚すことがないと共に、視覚障害者などが誤って前記包装体を口に入れてしまうことがない。
【００１３】
本発明の請求項２に記載の弁当用容器では、ポケットが、蓋と、該蓋の内面に周縁部の一部を残して接合されるシート体と、該蓋の前記シート体の非接合部に対応する部位に形成される切り込みと、から構成されていることが好ましい。この構成を採用することで、ポケットを容易に、かつコスト高を殆ど招くことなく形成することができる。
【００１４】
本発明の請求項２に記載の弁当用容器では、シート体が樹脂フィルムであることが好ましい。この構成を採用することで、シート体が弁当の水分、油分、熱などに耐性を有し、変質したり損壊しないので、包装体を弁当に該弁当と分けて衛生的に添付することができる。
【００１５】
本発明の請求項２に記載の弁当用容器では、切り込みがポケットに対する包装体の挿入方向と逆方向に凸形状に形成されていることが好ましい。この構成を採用することで、包装体をポケットの口、つまり切り込みを通して該ポケットに差し込む際、及び包装体を切り込みを通して該ポケットから抜き取る際、該切り込みで囲われた片持ち梁の舌片状の部分を持ち上げることで、包装体が抜き差ししやすく、視覚障害者などや手や指が不自由な人などが包装体を取り出しやすい。
【００１６】
本発明の請求項２に記載の弁当用容器では、蓋の切り込みの両端からポケットの側縁に沿ってミシン目が設けられていることが好ましい。この構成を採用することで、蓋のポケット部分をミシン目（弱め線でも可）を介して引き裂き、包装体全体を露出できるので、該包装体が取り出しやすく、視覚障害者などや手や指が不自由な人などが包装体を取り出しやすい。また切り込みがポケットに対する包装体の挿入方向と逆方向に凸形状に形成されていると、切り込みで囲われた片持ち梁の舌片状の部分が摘み片となり、蓋のポケット部分が引き裂きやすく、包装体が取り出しやすく、視覚障害者などや手や指が不自由な人などが包装体を取り出しやすい。
【００１７】
さらに、本発明の請求項３に記載の弁当容器は、容器本体の開放上面を覆う蓋が第１ポケットと第２ポケットを有し、該第１ポケットと該第２ポケットが対向配置されて共通のポケット口を有し、前記第１ポケットに食事用器具が差し込まれ、該食事用器具の一部が前記蓋の前記第１ポケットから前記第２ポケットの上にはみ出ていると共に、前記第２ポケットに調味料を充填封入した包装体が収容され、該包装体の一部が前記蓋に開口された透孔を通して外から見えることを特徴とする。
【００１８】
上記構成を有する本発明の請求項３に記載の弁当用容器は、容器本体の開放上面を覆う蓋が第１ポケットと第２ポケットを有し、該第１ポケットと該第２ポケットが対向配置されて共通のポケット口を有し、箸、スプーン、フォーフ、ナイフなどの食事用器具が前記第１ポケットに差し込まれ、該食事用器具の一部が前記蓋の前記第１ポケットから前記第２ポケットの上にはみ出ているので、視覚障害者などにとっても食事用器具の所在がすぐにわかり、食事用器具が取り出しやすい。また手や指が不自由な人などにとっても取り出しやすい。また醤油、ソース、塩などの調味料を樹脂フィルムなどの袋状容器に充填封入した包装体が前記第２ポケットに収容され、該包装体の一部が前記蓋に開口された透孔を通して外から見え、指先でも触ることができるので、視覚障害者などにとっても調味料（包装体）の所在がすぐにわかり、調味料が取り出しやすい。また手や指が不自由な人などにとっても取り出しやすい。また包装体がおかずなどと混在しないので、調味料を使用する際に手や指を汚すことがないと共に、視覚障害者などが誤って前記包装体を口に入れてしまうことがない。さらに食事用器具の一部が前記蓋の前記第１ポケットから前記第２ポケットの上にはみ出ているので、食事用器具と包装体のそれぞれの厚みが第１ポケットと第２ポケットの共通のポケット口を閉じるように作用するので、食事用器具が第１ポケットに、包装体が第２ポケットに、それぞれ適正に保持することができる。
【００１９】
本発明の請求項３に記載の弁当用容器では、第１ポケットと第２ポケットが蓋の偏奇した箇所に配置され、食事用器具の一部が前記蓋の偏奇した箇所で前記第１ポケットから前記第２ポケットの上にはみ出ていることが好ましい。この構成を採用することで、視覚障害者などが弁当を食べる際、一部が第１ポケットから蓋の上の偏奇した箇所ではみ出ている食事用器具の取り出しによって視覚障害者などに弁当の前後左右を対応させることができる。つまり右利きの視覚障害者などが食事用器具を第１ポケットから取り出す際には、第１ポケットから蓋の上にはみ出ている食事用器具の一部を把持し、該食事用器具を第１ポケットから右側に抜き取ることが自然で、容易である。この時の視覚障害者などに対する容器本体の前後左右と弁当の前後左右とが一致するように、該容器本体に弁当を詰めることで、該食事用器具の取り出しによって視覚障害者などに弁当の前後左右を対応させることができる。
【００２０】
本発明の請求項３に記載の弁当用容器では、第１ポケットと第２ポケットが、蓋と、該蓋の内面に周縁部が接合されるシート体と、前記蓋の前記シート体の非接合部に対応する部位に形成される切り込みと、から構成されていることが好ましい。この構成を採用することで、第１ポケットと第２ポケットを容易に、かつコスト高を殆ど招くことなく形成することができる。
【００２１】
本発明の請求項３に記載の弁当用容器では、シート体が樹脂フィルムであることが好ましい。この構成を採用することで、シート体が弁当の水分、油分、熱などに耐性を有し、変質したり損壊しないので、食事用器具と包装体を弁当に該弁当と分けて衛生的に添付することができる。
【００２２】
本発明の請求項３に記載の弁当用容器では、切り込みが第１ポケットに対する食事用器具の挿入方向に向かって凸形状に形成され、第２ポケットに対する包装体の挿入方向とは逆方向に凸形状に形成されていることが好ましい。この構成を採用することで、食事用器具をポケットの口、つまり切り込みを通して第１ポケットに差し込む際、及び食事用器具を切り込みを通して第１ポケットから抜き取る際、該切り込みで囲われた片持ち梁の舌片状の部分がガイドとなり、食事用器具が抜き差ししやすく、視覚障害者などや手や指が不自由な人などが食事用器具を取り出しやすい。また包装体をポケットの口、つまり切り込みを通して第２ポケットに差し込む際、及び包装体を切り込みを通して第２ポケットから抜き取る際、該切り込みで囲われた片持ち梁の舌片状の部分を持ち上げることで、包装体が抜き差ししやすく、視覚障害者などや手や指が不自由な人などが包装体を取り出しやすい。
【００２３】
本発明の請求項３に記載の弁当用容器では、蓋の切り込みの両端から第２ポケットの側縁に沿ってミシン目が設けられていることが好ましい。この構成を採用することで、蓋の第２ポケット部分をミシン目（弱め線でも可）を介して引き裂き、包装体全体を露出できるので、該包装体が取り出しやすく、視覚障害者などや手や指が不自由な人などが包装体を取り出しやすい。また切り込みが第２ポケットに対する包装体の挿入方向と逆方向に凸形状に形成されていると、切り込みで囲われた片持ち梁の舌片状の部分が摘み片となり、蓋の第２ポケット部分が引き裂きやすく、包装体が取り出しやすく、視覚障害者などや手や指が不自由な人などが包装体を取り出しやすい。
【００２４】
本発明の請求項４に記載の弁当容器は、本発明の請求項１乃至３の何れか１の弁当用容器において、容器本体と蓋の間に係合手段を有し、該係合手段が容器本体と蓋の一方に有するスリット状の係合孔と他方に有する係合片でなり、該係合片の該係合孔への差し込みによって前記蓋が前記容器本体に閉状態で係合保持されることを特徴とする。
【００２５】
上記構成を有する本発明の請求項４に記載の弁当用容器は、容器本体と蓋の間に有する係合手段によって前記蓋が前記容器本体に閉状態で係合保持され、前記蓋に有するポケットで食事用器具や調味料（包装体）が該蓋に保持されるので、容器に封止帯やゴムバンドなどをかける必要がなく、視覚障害者などや手や指が不自由な人などが容器を開封しやすい。
【００２６】
本発明の請求項１乃至４に記載の弁当容器は、視覚障害者などに対して弁当の説明などを行うために、蓋に点字を施すことが好ましい。
【発明の効果】
【００２７】
以上のように本発明によれば、障害者が開封しやすく、食事用器具や調味料を取り出しやすく、すぐに使用でき、容易に弁当を食べることができる弁当用容器を提供することができる。
【発明を実施するための最良の形態】
【００２８】
以下、本発明の実施の形態を図面に基づいて説明する。図１は本発明の実施の形態に係る弁当用容器１を示す外観斜視図、図９は本発明の実施の形態に係る弁当用容器１の使用状態を示す外観斜視図、図１０は本発明の実施の形態に係る弁当用容器１の使用状態を示す断面図である。図１、図９、図１０に示すように、弁当用容器１は、図２〜図４に示すような紙製の容器本体２と該容器本体２とは別体の図５〜図８に示すような紙製の蓋５０とで構成されている。
【００２９】
図２は容器本体２を示す外観斜視図、図３（Ａ）は容器本体２の上面図、図３（Ｂ）は容器本体２の後面図、図３（Ｃ）は容器本体２の右側面図、図４は容器本体２の展開図である。図２〜図４、図１０に示すように、容器本体２は、左右方向に長い矩形の底板３と該底板３の前後左右の各側縁から略直角に立ち上げられる前後左右の各側壁４，５，６，７とで、上面開放のトレー状に構成されている。また底板３と左側壁６との角部の幅方向中央部には、該部を部分的に内側に向かって角形に凹めた左取手部８を有し、底板３と右側壁７との角部の幅方向中央部にも、該部を部分的に内側に向かって角形に凹めた前記左取手部８と同じ右取手部９を有し、これら左右取手部８，９が底板３と左右側壁６，７との各角部の幅方向中間部で対向状に配置されている。該左右取手部８，９は、テーブルなどの支持面に容器本体２を置いた状態で少なくとも親指以外の４本の指先が楽に差し込むことができ、その指先を下側から引っ掛けることができる大きさに形成されている。このため、容器本体２は、テーブルなどの支持面に置いた状態でも、左右取手部８，９に親指以外の４本の指先を差し込むことで、該容器本体２を支持面上で移動したり支持面から持ち上げたりすることが容易に行えるようになっている。また左右側壁６，７には、蓋５０を容器本体２に閉状態で係合保持するための係合手段としてのスりット状の溝孔１０，１１を有し、該左右溝孔１０，１１は、左右側壁６，７における左右取手部８，９の上縁に沿って該上縁の幅方向中央部に形成されている。また左右側壁６，７の上縁には、折り曲げ自在に左右フラップ１２，１３が連設され、該左右フラップ１２，１３が左右側壁６，７の上縁から内側に略直角に折り曲げられ、容器本体２の開放上面における左右側端部に延出されている。
【００３０】
前記容器本体２は、例えば厚さ０．３〜１０ｍｍ程度のボール紙を、図４に示すように型抜きし、所定箇所に接着剤を塗布したり或いは両面接着テープを貼り付けて折り畳むことで作製されたものである。
【００３１】
型抜きされた展開状態の容器本体２Ａは、図４に示すように、底板３の前後左右の各側縁に折り目１４，１５，１６，１７を介して前後左右の各側壁４，５，６，７が連設され、前後側壁４，５の上縁に該前後側壁４，５を二重構造にするための内側壁１８，１９が折り目２０，２１を介して連設されている。また前後側壁４，５の左右側縁には折り目２２，２３，２４，２５を介して接合片２６，２７，２８，２９が連設され、左右側壁６，７の上縁には折り目３０，３１を介して左右フラップ１２，１３が連設されている。また前記左取手部８を形成するために、底板３と左側壁６の間の折り目１６から等距離（各側壁４，５，６，７の高さ寸法の約３分の１程度の距離）の底板３側の幅方向中央部と左右側壁１０，１１側の幅方向中央部には、２本の同じ長さの折り目３２，３３が前記折り目１６と平行に形成され、該２本の折り目３２，３３の対応する両端間には、前記折り目１６と直角に交差して該２本の折り目３２，３３の対応する両端を繋ぐ２本の同じ長さの切り目３４，３５が平行に形成されると共に、右取手部９を形成するために、底板３と右側壁７の間の折り目１７から等距離（各側壁４，５，６，７の高さ寸法の約３分の１程度の距離）の底板３側の幅方向中央部と右側壁７側の幅方向中央部にも、前記２本の折り目３２，３３と同様に２本の同じ長さの折り目３６，３７が前記折り目１７と平行に形成され、該２本の折り目３６，３７の対応する両端間にも、前記２本の切り目３４，３５と同様に前記折り目１７と直角に交差して該２本の折り目３６，３７の対応する両端を繋ぐ２本の同じ長さの切り目３８，３９が平行に形成されている。また左右側壁６，７上にある前記折り目３３，３７に沿って該折り目３３，３７の幅方向中央部に左右溝孔１０，１１が形成されている。また左右側板６，７の下縁と左右側縁の交点から左右フラップ１２，１３の端縁まで４５度の傾斜角度を持って直線状に延びる容器本体折り畳み用の折り目４０，４１，４２，４３が形成されている。
【００３２】
前記展開状態の容器本体２Ａは、前後側壁４，５の上に折り目２０，２１を介して内側壁１８，１９を折り畳み、前後側壁４，５と内側壁１８，１９の接合面の一方に予め塗布された接着剤或いは予め貼り付けられた両面接着テープによって、前後側壁４，５の内面に内側壁１８，１９を接着固定し、前後側壁４，５を二重構造に形成する。その後、前後側壁４，５の左右側縁から折り目２２，２３，２４，２５を介して接合片２６，２７，２８，２９を折り立てた状態で、該前後側壁４，５を底板３の前後側縁から折り目１４，１５を介して略直角に折り立てる。その後、底板３の左右側縁から折り目１６，１７を介して左右側壁６，７を略直角に折り立て、左右側壁６，７と接合片２６，２７，２８，２９の接合面の一方に予め塗布された接着剤或いは予め貼り付けられた両面接着テープによって、左右側壁４，５の内面に接合片２６，２７，２８，２９を接着固定し、前後側壁４，５と左右側壁６，７を直立状態に保持する。これにより、左右取手部８，９が未形成で、左右フラップ１２，１３が左右側壁６，７の上縁から上向きに延出された半組み立て状態に組み立てることができる。なお左右側壁６，７と接合片２６，２７，２８，２９は、左右側壁６，７の左右側縁と折り目３０，３１と折り目４１，４２，４３，４４とで囲われた三角形の領域内で接着固定されている。
【００３３】
前記半組み立て状態では、折り目４１，４２より内側の左側壁６及び左フラップ１２の台形部分と折り目４３，４４より内側の右側壁７及び右フラップ１３の台形部分を内側に押し倒すことで、該各台形部分が折り目１６，１７を介して底板３の上に折り畳まれ、それに伴って折り目４１，４２より外側の左側壁６及び左フラップ１２の三角形部分と折り目４３，４４より外側の右側壁７及び右フラップ１３の三角形部分が前記台形部分の両端部と前後側壁５，６の両端部の間に折り目４１，４２，４３，４４を介して折り込まれながら、該前後側壁５，６が折り目１４，１５を介して底板３の上に折り畳まれ、前後側壁５，６或いは前記台形部分を折り立てるワンタッチ操作で半組み立て状態に組み立て可能な状態に折り畳むことができ、該折り畳み状態では、該容器本体２の厚みが後述する蓋５０の深さより薄くなり、該容器本体２を蓋５０の内側に収めることができ、弁当用容器１の持ち運び及び保管を蓋５０の外形分の省スペースで行えるようになっている。
【００３４】
前記半組み立て状態では、底板３と左側壁６との角部の幅方向中央部を内側に押し込むことで、折り目１６，３２及び切り目３４，３５で囲われた矩形部分が底板３から折り目３２を介して略直角に立ち上がり左取手部８の奥壁４５になり、これと同時に折り目１６，３３及び切り目３４，３５で囲われた矩形部分が左側壁６から折り目３３を介して内側に略水平に突出し左取手部８の天壁４６になり、左取手部８を形成することができる。また底板３と右側壁７との角部の幅方向中央部を内側に押し込むことで、折り目１７，３６及び切り目３８，３９で囲われた矩形部分が底板３から折り目３６を介して略直角に立ち上がり右取手部９の奥壁４７になり、これと同時に折り目１７，３７及び切り目３８，３９で囲われた矩形部分が右側壁７から折り目３７を介して内側に略水平に突出し右取手部９の天壁４８になり、右取手部８を形成することができる。また左右フラップ１２，１３を左右側壁６，７の上縁から内側に略直角に折り曲げて容器本体２の開放上面における左右側端部に延出させる。これにより、図２、図３、図１０に示すような使用状態に組み立てることができる。
【００３５】
図５は蓋５０の外観斜視図、図６（Ａ）は蓋５０の上面図、図６（Ｂ）は蓋５０の後面図、図６（Ｃ）は蓋５０の右側面図、図７は蓋５０の内面図、図８は蓋５０の展開図である。図１、図５〜図１０に示すように、蓋５０は、左右方向に長い矩形の天板５１と該天板５１の前後左右の各側縁から下向きに略直角に立ち上げられる前後左右の各縁部５２，５３，５４，５５とで、下面開放のトレー状に構成されており、前記容器本体２に上方から被せるようになっている。また蓋５０は、該蓋５０の前記容器本体２に被せた時に天板５１が前記容器本体２の開放上面を覆い、前後左右の各縁部５２，５３，５４，５５が前記容器本体２の各側壁４，５，６，７の外側に重ねられるが、該蓋５０の深さ、つまり各縁部５２，５３，５４，５５の高さは、蓋５０が前記容器本体２から外しやすく、弁当用容器１が開封しやすいように、かつ前記容器本体２の左右側壁６，７の外側に重ねられる蓋５０の左右縁部５４，５５が前記容器本体２の左右取手部８，９及び左右溝孔部１０，１１を塞がないように、前記容器本体２の深さ、つまり各側壁４，５，６，７の高さより低く、かつ左右取手部８，９より上側の左右側壁６，７の高さよりやや低くなている。また左右縁部５４，５５の幅方向中央部には、蓋５０を前記容器本体２に被せた時に左右取手部８，９の幅方向中央部の外側に延出される左右突片５６，５７を有している。また該左右突片５６，５７の上部には、中央部で途切れた折り目５８，５９が該左右突片５６，５７の幅方向に形成され、該折り目５８，５９が蓋５０を前記容器本体２に被せた時に左右取手部８，９の上縁（折り目３３，３７）に対応している。各折り目５８，５９の途切れ部には、上向きに盛り上がった半円形の切り目６０，６１が形成され、各切り目６０，６１の両端が各折り目５８，５９の途切れ端に繋がれており、左突片５６の上部中央部には、該左突片５６の下部を一連の折り目５８及び切り目６０を介して外側に折り曲げた時に該左突片５６の下部と一体に該左突片５６の上部中央部から切り目６０を介して切り起こされる半月形の左係合片６２が形成され、右突片５７の上部中央部にも、該右突片５７の下部を一連の折り目５９及び切り目６１を介して外側に折り曲げた時に該右突片５７の下部と一体に該右突片５７の上部中央部から切り目６１を介して切り起こされる左係合片６２と同じ半月形の右係合片６３が形成され、該左右係合片６２，６３が蓋５０を前記容器本体２に被せた時に左右溝孔１０，１１から左右側壁６，７の内側に差し込めるようになっており、該左右係合片６２，６３が左右溝孔１０，１１とで蓋５０を容器本体２に閉状態で係合保持するための係合手段を構成している。
【００３６】
また天板５１の内面には、該内面の略全面を覆う一枚の矩形シート体としての樹脂フィルム６４が接着固定されている。該樹脂フィルム６４は、図７，図８の斜線で示すように、接着面６５が「日」の字形になるように、両面接着テープや接着剤によって外周縁部と前後中央部よりやや前側に偏った箇所とが略一定幅で天板５１の内面に接着固定され、該樹脂フィルム６４が天板５１の前半部内面で外周縁部が接着固定されて天板５１の前半部内面に多くない弛みを持って（非緊張状態）張設される横に長い矩形の前非接着フィルム部６６と、天板５１の後半部内面で外周縁部が接着固定されて天板５１の後半部内面に多くない弛みを持って（非緊張状態）張設される横に長い矩形の後非接着フィルム部６７ととに画成されている。前非接着フィルム部６６は後非接着フィルム部６７より前後幅がやや幅狭になっている。また前非接着フィルム部６６と対向する天板５１の前半部で、かつ左右中央よりやや右側に偏って箇所には、前非接着フィルム部６６の前後幅よりやや幅狭で、かつ右側に向かって開口するＵ字形の切り込み６８が形成され、該切り込み６８より左側に該切り込み６８より左側で対向している前非接着フィルム部６６及び天板５１と、該切り込み６８とによって蓋５０に深い第１ポケット６９を形成すると共に、該切り込み６８より右側に該切り込み６８より右側で対向している前非接着フィルム部６６及び天板５１と、該切り込み６８とによって蓋５０に前記第１ポケット６９より浅い第２ポケット７０を形成し、該第１ポケット６９と第２ポケット７０が対向配置されて切り込み６８を共通のポケット口７１として有している。また天板５１には切り込み６８の両端部から連続的に天板５１の右端まで２本のミシン目７２，７３が平行に形成され、天板５１の第２ポケット７０の表面となる部分に切り込み６８及び２本のミシン目７２，７３によって、先端部に片持ち梁の舌片状の摘み片７４を有する引き裂き部７５が形成されている。また該引き裂き部７５には第２ポケット７０に収容される後述する包装体１０５が外から見え、かつ包装体１０５を外から直接指先などで触ることができるように、貫通孔でなる単一或いは複数の透孔７６が開口形成されている。なお前記接着面６５は２本のミシン目７２，７３上で途切れている。
【００３７】
前記蓋５０も、例えば厚さ０．３〜１０ｍｍ程度のボール紙を、図８に示すように型抜きし、所定箇所に接着剤を塗布したり或いは両面接着テープを貼り付けて折り畳むことで作製されたものである。
【００３８】
型抜きされた展開状態の蓋５０Ａは、図８に示すように、天板５１の前後左右の各側縁に折り目７７，７８，７９，８０を介して前後左右の矩形の各縁部５２，５３，５４，５５が連設され、前後左右の各縁部５２，５３，５４，５５の上縁に該各縁部５２，５３，５４，５５を二重構造にするための前後左右の矩形の各内縁部８１，８２，８３，８４が折り目８５，８６，８７，８８を介して連設されている。また天板５１の四隅外側には隣接する縁部５２，５３，５４，５５の端縁同士を連設するコーナー片８９，９０，９１，９２が各縁部５２，５３，５４，５５の端縁で折り曲げ自在に形成され、各コーナー片８９，９０，９１，９２の対角線上には折り目９３，９４，９５，９６が形成されている。また左右縁部５４，５５と左右内縁部８３，８４の間の折り目８７，８８は幅方向中央部で途切れており、各折り目８７，８８の途切れ部には、左右内縁部８３，８４側に突出したコ形の切り目９７，９８が形成され、各切り目９７，９８の両端が各折り目８７，８８の途切れ端に繋がれ、一連の折り目５８及び切り目６０を有する左突片５６が左切り目９７を介して左内縁部８３から切り起こし可能に形成されると共に、一連の折り目５９及び切り目６１を有する右突片５７が右切り目９８を介して右内縁部８４から切り起こし可能に形成されている。また左右内縁部８３，８４には左右縁部５４，５５の下縁と左右側縁の交点から４５度の傾斜角度を持って直線状に延びる線上に折り目９９，１００，１０１，１０２が形成されている。
【００３９】
前記蓋用台紙５０Ａは、前後縁部５２，５３の上に折り目８５，８６を介して前後内縁部８１，８２を折り畳み、前後縁部５２，５３と前後内縁部８１，８２の接合面の一方に予め塗布された接着剤或いは予め貼り付けられた両面接着テープによって、前後縁部５２，５３の内面に前後内縁部８１，８２を接着固定し、前後縁部５２，５３を二重構造に形成する。その後、前後縁部５２，５３を天板５１の前後側縁から折り目７７，７８を介して略直角に折り立てる。その後、コーナー片８９，９０，９１，９２を折り目９３，９４，９５，９６を介して折り畳み、左右縁部５４，５５の内側に折り込みながら、該左右縁部５４，５５を天板５１の左右側縁から折り目７９，８０を介して略直角に折り立てる。その後、左右縁部５４，５５の内面側に折り目８７，８８を介して左右内縁部８３，８４を折り曲げ、左右縁部５４，５５と左右内縁部８３，８４の接合面の一方に予め塗布された接着剤或いは予め貼り付けられた両面接着テープによって、左右縁部５４，５５の内面に左右内縁部８３，８４を接着固定する。左右縁部５４，５５と左右内縁部８３，８４は、左右内縁部８３，８４の折り目９９，１００，１０１，１０２の間で接着固定され、左右内縁部８３，８４の折り目９９，１００，１０１，１０２より外側の部分で左右縁部５４，５５との間にコーナー片８９，９０，９１，９２を挟み込み、前後縁部５２，５３と左右縁部５４，５５を直立状態に保持する。そして、左右縁部５４，５５の内面側への左右内縁部８３，８４の折り曲げに伴って、一連の折り目５８及び切り目６０を有する左突片５６が左切り目９７を介して左内縁部８３から切り起こされて左縁部５４の幅方向中央部から延出されると共に、一連の折り目５９及び切り目６１を有する右突片５７が右切り目９８を介して右内縁部８４から切り起こされて右縁部５５の幅方向中央部から延出される。これにより、図１、図５〜図７、図９、図１０に示すような使用状態に組み立てることができる。なお樹脂フィルム６４は展開状態の蓋５０Ａを使用状態に組み立てる前に展開状態の蓋５０Ａの天板５１内面に接着固定されるが、該接着固定は組み立て中或いは組み立て後であっても行うことができる。
【００４０】
上記のように使用状態に組み立てられた容器本体２と蓋５０は、図１０に示すように、ご飯やおかずなどを盛り付けたプラスチック製のトレー状の容器１０３を容器本体２の内部に収容し、該容器本体２に上方から蓋５０を被せ、該容器本体２の開放上面を閉じ、弁当用容器１として供することができる。
【００４１】
弁当には箸、スプーン、フォーフ、ナイフなどの食事用器具（以下、「箸類」という。）１０４と、醤油、ソース、塩などの調味料を樹脂フィルムなどの袋状容器に充填封入した包装体（以下、「調味料」という。）１０５が添えられる。箸類１０４は、図９〜図１１に示すように、蓋５０のポケット口７１から第１ポケット６９に差し込まれ、箸類１０４の一部が第２ポケット７０の表面となる天板５１の上にはみ出した状態で該蓋５０に保持される。また調味料１０５は、箸類１０４を第１ポケット６９に差し込む前に、図１０，図１１に示すように、蓋５０のポケット口７１から第２ポケット７０に差し込んで収容され、第２ポケット７０内で該蓋５０に保持される。なお弁当には、簡易手拭などもよく添えられるが、この場合、簡易手拭は、第１ポケット６９や第２ポケット７０に箸類１０４や調味料１０５と共に収容することができる。
【００４２】
箸類１０４は、図１２に示すように、弁当を食べる者Ａに対して一部が天板５１の前右角部の上で右向きにはみ出すように第１ポケット６９に差し込まれており、この時の弁当を食べる者Ａに対する容器本体２の前後左右と弁当の前後左右とが一致するように、弁当が容器本体２に収容されている。
【００４３】
また蓋５０は、左右溝孔１０，１１と左右係合片６２，６３とからなる係合手段によって、容器本体２に閉状態で係合保持される。該係合は、図１３〜図１５に示すように、蓋５０の左右縁部５４，５５から容器本体２の左右取手部８，９の外側に垂下されている左右突片５６，５７の下部を外側に折り曲げるだけで、左右係合片６２，６３が切り起こされて左右溝孔１０，１１に対応するので、この状態で位置合わせなどを行わずに左右係合片６２，６３を左右溝孔１０，１１に差し込むことができる。その後、該左右係合片６２，６３を左右縁部５４，５５から容器本体２の左右取手部８，９の外側に垂下する元の状態に戻すことで、左右係合片６２，６３が左右側壁６，７の内側に上向きに差し込まれ、その差し込み状態で保持される。これにより、蓋５０が容器本体２に閉状態で確実に係合保持され、弁当用容器１の封止に封止帯やゴムバンドなどを用いる必要がない。
【００４４】
一方、弁当を食べる際、箸類１０４は、天板５１の上にはみ出ている該箸類１０４の一部を把持し、第１ポケット６９から抜き取り、使用することができる。また調味料１０５は、図１６に示すように、天板５１のポケット口７１にある摘み片７４を把持して右斜め上方に引っ張り、引き裂き部７５をミシン目７２，７３を介して切り裂き、第２ポケット７０を上方に大きく開放し、第２ポケット７０から上方に取り出し、使用することができる。また弁当用容器１の開封は、蓋５０と容器本体２の係合を解いた後、蓋５０を持ち上げて容器本体２から取り外すことで行える。この際、左右突片５６，５７を左右取手部８，９の外側で上方に折り曲げる（折り返す）だけで、左右係合片６２，６３が左右溝孔１０，１１から抜け出すので、蓋５０と容器本体２の係合が解きやすく、弁当用容器１の開封が容易に行える。
【００４５】
上記から明らかなように、本実施の形態の弁当用容器１では、容器本体２の開放上面を覆う蓋５０がポケット６９を有し、該ポケット６９に箸類１０４が差し込まれ、該箸類１０４の一部が前記ポケット６９から前記蓋５０の上にはみ出ているので、視覚障害者などにとっても箸類１０４の所在がすぐにわかり、箸類１０４が取り出しやすい。また手や指が不自由な人などにとっても取り出しやすい。
【００４６】
また箸類１０４の一部がポケット６９から蓋５０の上の偏奇した箇所ではみ出ているので、視覚障害者などが弁当を食べる際、一部がポケット６９から蓋５０の上の偏奇した箇所ではみ出ている箸類１０４のの取り出しによって視覚障害者などに弁当の前後左右を対応させることができる。つまり右利きの視覚障害者などが箸類１０４をポケット６９から取り出す際には、ポケット６９から蓋５０の上にはみ出ている箸類１０４の一部を把持し、該箸類１０４をポケット６９から右側に抜き取ることが自然で、容易である。この時の視覚障害者などに対する容器本体２の前後左右と弁当の前後左右とが一致するように、該容器本体２に弁当を詰めることで、該箸類１０４の取り出しによって視覚障害者などに弁当の前後左右を対応させることができる。
【００４７】
またポケット６９が、蓋５０と、該蓋５０の内面に周縁部の一部を残して接合されるシート体６４と、前記蓋５０の前記シート体６４の非接合部に対応する部位に形成される切り込み６８と、から構成されているので、ポケット６９を容易に、かつコスト高を殆ど招くことなく形成することができる。
【００４８】
またシート体６４が樹脂フィルムであり、シート体６４が弁当の水分、油分、熱などに耐性を有し、変質したり損壊しないので、箸類１０４を弁当に該弁当と分けて衛生的に添付することができる。
【００４９】
また切り込み６８がポケット６９に対する箸類１０４の挿入方向に向かって凸形状に形成されているので、箸類１０４をポケット口７１、つまり切り込み６８を通して該ポケット６９に差し込む際、及び箸類１０４を切り込み６８を通して該ポケット６９から抜き取る際、該切り込み６８で囲われた片持ち梁の舌片状の部分７４がガイドとなり、箸類１０４が抜き差ししやすく、視覚障害者などや手や指が不自由な人などが箸類１０４を取り出しやすい。
【００５０】
また容器本体２の開放上面を覆う蓋５０がポケット７０を有し、該ポケット７０に調味料１０５が収容され、該調味料１０５の一部が前記蓋５０に開口された透孔７６を通して外から見え、指先でも触ることもできるので、視覚障害者などにとっても調味料１０５の所在がすぐにわかり、調味料１０５が取り出しやすい。また手や指が不自由な人などにとっても取り出しやすい。また調味料１０５がおかずなどと混在しないので、調味料１０５を使用する際に手や指を汚すことがないと共に、視覚障害者などが誤って調味料（包装体）１０５を口に入れてしまうことがない。
【００５１】
またポケット７０が、蓋５０と、該蓋５０の内面に周縁部の一部を残して接合されるシート体６４と、該蓋５０の前記シート体６４の非接合部に対応する部位に形成される切り込み６８と、から構成されているので、ポケット７０を容易に、かつコスト高を殆ど招くことなく形成することができる。
【００５２】
またシート体６４が樹脂フィルムであり、シート体６４が弁当の水分、油分、熱などに耐性を有し、変質したり損壊しないので、調味料１０５を弁当に該弁当と分けて衛生的に添付することができる。
【００５３】
また切り込み６８がポケット７０に対する調味料１０５の挿入方向と逆方向に凸形状に形成されているので、調味料１０５をポケット口７１、つまり切り込み６８を通して該ポケット７０に差し込む際、及び調味料１０５を切り込み６８を通して該ポケット７０から抜き取る際、該切り込み６８で囲われた片持ち梁の舌片状の部分７４を持ち上げることで、調味料１０５が抜き差ししやすく、視覚障害者などや手や指が不自由な人などが調味料１０５を取り出しやすい。
【００５４】
また蓋５０の切り込み６８の両端からポケット７０の側縁に沿ってミシン目７２，７３が設けられているので、蓋５０のポケット部分７５をミシン目（弱め線でも可）７２，７３を介して引き裂き、調味料１０５全体を露出できるので、該調味料１０５が取り出しやすく、視覚障害者などや手や指が不自由な人などが調味料１０５を取り出しやすい。また切り込み６８がポケット７０に対する調味料１０５の挿入方向と逆方向に凸形状に形成されていると、切り込み６８で囲われた片持ち梁の舌片状の部分７４が摘み片となり、蓋５０のポケット部分７５が引き裂きやすく、調味料１０５が取り出しやすく、視覚障害者などや手や指が不自由な人などが調味料１０５を取り出しやすい。
【００５５】
また容器本体２の開放上面を覆う蓋５０が第１ポケット６９と第２ポケット７０を有し、該第１ポケット６９と該第２ポケット７０が対向配置されて共通のポケット口７１を有し、前記第１ポケット６９に箸類１０４が差し込まれ、該箸類１０４の一部が前記蓋５０の前記第１ポケット６９から前記第２ポケット７０の上にはみ出ていると共に、前記第２ポケット７０に調味料１０５が収容され、該調味料１０５の一部が前記蓋５０に開口された透孔７６を通して外から見え、指先でも触ることができるので、視覚障害者などにとっても箸類１０４の所在がすぐにわかり、箸類１０４が取り出しやすい。また手や指が不自由な人などにとっても取り出しやすい。視覚障害者などにとっても調味料１０５の所在がすぐにわかり、調味料１０５が取り出しやすい。また手や指が不自由な人などにとっても取り出しやすい。また調味料１０５がおかずなどと混在しないので、調味料１０５を使用する際に手や指を汚すことがないと共に、視覚障害者などが誤って調味料１０５（包装体）を口に入れてしまうことがない。さらに箸類１０４の一部が前記蓋５０の前記第１ポケット６９から前記第２ポケット７０の上にはみ出ているので、箸類１０４と調味料１０５のそれぞれの厚みが第１ポケット６９と第２ポケット７０の共通のポケット口７１を閉じるように作用するので、箸類１０４が第１ポケット６９に、調味料１０５が第２ポケット７０に、それぞれ適正に保持することができる。
【００５６】
また第１ポケット６９と第２ポケット７０が蓋５０の偏奇した箇所に配置され、箸類１０４の一部が前記蓋５０の偏奇した箇所で前記第１ポケット６９から前記第２ポケット７０の上にはみ出ているので、視覚障害者などが弁当を食べる際、一部が第１ポケット６９から蓋５０の上の偏奇した箇所ではみ出ている箸類１０４の取り出しによって視覚障害者などに弁当の前後左右を対応させることができる。つまり右利きの視覚障害者などが箸類１０４を第１ポケット６９から取り出す際には、第１ポケット６９から蓋５０の上にはみ出ている箸類１０４の一部を把持し、該箸類１０４を第１ポケット６９から右側に抜き取ることが自然で、容易である。この時の視覚障害者などに対する容器本体２の前後左右と弁当の前後左右とが一致するように、該容器本体２に弁当を詰めることで、該箸類１０４の取り出しによって視覚障害者などに弁当の前後左右を対応させることができる。
【００５７】
また第１ポケット６９と第２ポケット７０が、蓋５０と、該蓋５０の内面に周縁部が接合されるシート体６４と、前記蓋５０の前記シート体６４の非接合部に対応する部位に形成される切り込み６８と、から構成されているので、第１ポケット６９と第２ポケット７０を容易に、かつコスト高を殆ど招くことなく形成することができる。
【００５８】
またシート体６４が樹脂フィルムであり、シート体６４が弁当の水分、油分、熱などに耐性を有し、変質したり損壊しないので、箸類１０４と調味料１０５を弁当に該弁当と分けて衛生的に添付することができる。
【００５９】
また切り込み６８が第１ポケット６９に対する箸類１０４の挿入方向に向かって凸形状に形成され、第２ポケット７０に対する調味料１０５の挿入方向とは逆方向に凸形状に形成されているので、箸類１０４をポケット口７１、つまり切り込み６８を通して第１ポケット６９に差し込む際、及び箸類１０４を切り込み６８を通して第１ポケット６９から抜き取る際、該切り込み６８で囲われた片持ち梁の舌片状の部分７４がガイドとなり、箸類１０４が抜き差ししやすく、視覚障害者などや手や指が不自由な人などが箸類１０４を取り出しやすい。また調味料１０５をポケット口７１、つまり切り込み６８を通して第２ポケット７０に差し込む際、及び調味料１０５を切り込み６８を通して第２ポケット７０から抜き取る際、該切り込み６８で囲われた片持ち梁の舌片状の部分７４を持ち上げることで、調味料１０５が抜き差ししやすく、視覚障害者などや手や指が不自由な人などが調味料１０５を取り出しやすい。
【００６０】
また蓋５０の切り込み６８の両端から第２ポケット７０の側縁に沿ってミシン目７２，７３が設けられているので、蓋５０の第２ポケット部分７５をミシン目（弱め線でも可）７２，７３を介して引き裂き、調味料１０５全体を露出できるので、該調味料１０５が取り出しやすく、視覚障害者などや手や指が不自由な人などが調味料１０５を取り出しやすい。また切り込み６８が第２ポケット７０に対する調味料１０５の挿入方向と逆方向に凸形状に形成されていると、切り込み６８で囲われた片持ち梁の舌片状の部分７４が摘み片となり、蓋５０の第２ポケット部分７５が引き裂きやすく、調味料１０５が取り出しやすく、視覚障害者などや手や指が不自由な人などが調味料１０５を取り出しやすい。
【００６１】
また容器本体２と蓋５０の間に係合手段を有し、該係合手段が容器本体２と蓋５０の一方に有するスリット状の係合孔１０，１１と他方に有する係合片６２，６３でなり、該係合片６２，６３の該係合孔１０，１１への差し込みによって前記蓋５０が前記容器本体２に閉状態で係合保持されるので、容器本体２と蓋５０の間に有する係合手段によって前記蓋５０が前記容器本体２に閉状態で係合保持され、前記蓋５０に有するポケット６９，７０で箸類１０４や調味料１０５が該蓋５０に保持されるので、容器１に封止帯やゴムバンドなどをかける必要がなく、視覚障害者などや手や指が不自由な人などが容器１を開封しやすい。
【００６２】
したがって、障害者が開封しやすく、箸類１０４や調味料１０５を取り出しやすく、すぐに使用でき、容易に弁当を食べることができる弁当用容器１になる。
【００６３】
また本実施の形態の弁当用容器１では、容器本体２が底板３と該底板３の周縁から立ち上がる側壁６，７との角部を部分的に内側に凹めた取手部８，９を有しているので、手や指が不自由な人などが容器本体２の取手部８，９に指先を差し込み、容器１を容易に移動したり持ち上げたりすることができ、容器１が開封しやすい。
【００６４】
また取手部８，９が底板３と該底板３の対向する２側縁から立ち上がる一組の対向側壁６，７との各角部で対向配置されているので、手や指が不自由な人などが容器本体２の各取手部８，９に指先を差し込みやすく、容器１を容易に移動したり持ち上げたりすることができ、容器１が開封しやすい。
【００６５】
また容器本体２の開放上面を覆う蓋５０を有し、該蓋５０が容器本体２の取手部８，９を有する側壁６，７の外側に重ねられる縁部５４，５５を有し、該縁部５４，５５が前記取手部８，９より上側の側壁５４，５５より低い高さに形成されているので、蓋５０の縁部５４，５５の下側が取手部８，９によって内側に凹んでいるので、手や指が不自由な人などが蓋５０の縁部５４，５５に指先を掛けやすく、容器１が開封しやすい。
【００６６】
また蓋５０の縁部５４，５５が突片５６，５７を有し、該突片５６，５７が取手部８，９の外側に延出され、該突片５６，５７の上部に切り目６１，６１を介して切り起こし自在に係合片６２，６３が形成され、該係合片６２，６３が容器本体２の取手部８，９を有する側壁６，７に形成されるスリット状の溝孔１０，１１から該側壁６，７の内側に差し込まれ、前記蓋５０が容器本体２に閉状態で係合保持されるので、突片５６，５７を取手部８，９の外側で上方に折り曲げるだけで、係合片６２，６３がスリット状の溝孔１０，１１から抜け出し、蓋５０と容器本体２の係合が解けると共に、取手部８，９によって突片５６，５７の内側に空間が形成され、突片５６，５７は指先で把持しなくても外側に折り曲げることができるので、係合片６２，６３とスリット状の溝孔１０，１１の係合手段で蓋５０を確実に容器本体２に閉状態で係合保持できるにもかかわらず、その係合を視覚障害者などや手や指が不自由な人などが解きやすく、また片手でも容易に解くことができ、容器１が開封しやすい。
【００６７】
また本実施の形態の弁当用容器１では、容器本体２の開放上面を覆う蓋５０が該容器本体２の底板３の周縁から立ち上がる側壁６，７の外側に重ねられる該側壁６，７より高さの低い縁部５４，５５を有し、該縁部５４，５５が突片５６，５７を有し、該突片５６，５７の上部に切り目６０，６１を介して切り起こし自在に係合片６２，６３が形成され、該係合片６２，６３が容器本体２の側壁６，７に形成されるスリット状の溝孔１０，１１から該側壁６，７の内側に差し込まれ、前記蓋５０が容器本体２に閉状態で係合保持されるので、突片５６，５７を上方に折り曲げるだけで、係合片６２，６３がスリット状の溝孔１０，１１から抜け出し、蓋５０と容器本体２の係合が解けるので、係合片６２，６３とスリット状の溝孔１０，１１の係合手段で蓋５０を確実に容器本体２に閉状態で係合保持できるにもかかわらず、その係合を視覚障害者などや手や指が不自由な人などが解きやすく、また片手でも容易に解くことができ、容器１が開封しやすい。
【００６８】
また容器本体２が底板３と該底板３の周縁から立ち上がる側壁６，７との角部を部分的に内側に凹めた取手部８，９を有し、蓋５０の縁部５４，５５が該取手部８，９より上側の側壁６，７より低い高さに形成され、該縁部５４，５５の突片５６，５７が前記取手部８，９の外側に延出されているので、取手部８，９によって突片５６，５７の内側に空間が形成され、突片５６，５７は指先で把持しなくても外側に折り曲げることができるので、係合片６２，６３とスリット状の溝孔１０，１１の係合手段で蓋５０を確実に容器本体２に閉状態で係合保持できるにもかかわらず、その係合を視覚障害者などや手や指が不自由な人などが解きやすく、また片手でも容易に解くことができ、容器１が開封しやすい。また容器本体２が底板３と該底板３の周縁から立ち上がる側壁６，７との角部を部分的に内側に凹めた取手部８，９を有しているので、手や指が不自由な人などが容器本体２の取手部８，９に指先を差し込み、容器１を容易に移動したり持ち上げたりすることができ、容器１が開封しやすい。
【００６９】
また容器本体２の左右方向で対向する一組の対向側壁６，７の外側に重ねられる蓋５０の縁部５４，５５に突片５６，５７及び係合片６２，６３を有し、容器本体２の前記一組の対向側壁６，７に取手部８，９及びスリット状の溝孔１０，１１を有しているので、視覚障害者などや手や指が不自由な人などが突片５６，５７を上方に折り曲げやすいと共に、容器本体２の各取手部８，９に指先を差し込みやすく、容器１が開封しやすい。
【００７０】
したがって、障害者が開封しやすく、容易に弁当を食べることができる弁当用容器１になる。
【００７１】
また視覚障害者などに対して弁当の説明などを行うために、蓋５０の天板５１に点字を施すことができる。
【００７２】
以上、本実施の形態は本発明の好適な一実施の形態を示したが、本発明はそれに限定されることなく、その要旨を逸脱しない範囲内で種々変形実施することができる。例えば本発明は矩形の底板の上下左右の各側縁から上下左右の各側壁を立ち上げた容器本体の後側壁の上縁に蓋を折り曲げ自在に連設した容器などにも好適に実施できるものである。
【図面の簡単な説明】
【００７３】
【図１】本発明の実施の形態に係る弁当用容器を示す外観斜視図である。
【図２】本発明の実施の形態に係る弁当用容器の容器本体を示す外観斜視図である。
【図３】本発明の実施の形態に係る弁当用容器の容器本体を示し、（Ａ）は上面図、（Ｂ）は後面図、（Ｃ）は右側面図である。
【図４】本発明の実施の形態に係る弁当用容器の容器本体を示す展開図である。
【図５】本発明の実施の形態に係る弁当用容器の蓋を示す外観斜視図である。
【図６】本発明の実施の形態に係る弁当用容器の蓋を示し、（Ａ）は上面図、（Ｂ）は後面図、（Ｃ）は右側面図である。
【図７】本発明の実施の形態に係る弁当用容器の蓋を示す内面図である。
【図８】本発明の実施の形態に係る弁当用容器の蓋を示す展開図である。
【図９】本発明の実施の形態に係る弁当用容器の使用状態を示す外観斜視図である。
【図１０】本発明の実施の形態に係る弁当用容器の使用状態を示す断面図である。
【図１１】本発明の実施の形態に係る弁当用容器の蓋ポケット部を示す断面図である。
【図１２】本発明の実施の形態に係る弁当用容器の蓋ポケット部と弁当を食べる者との関係を示す平面図である。
【図１３】本発明の実施の形態に係る弁当用容器の容器本体の取手部及び蓋の係合手段を示す外観斜視図である。
【図１４】本発明の実施の形態に係る弁当用容器の容器本体の取手部及び蓋の係合手段を示す部分拡大斜視図である。
【図１５】本発明の実施の形態に係る弁当用容器の容器本体の取手部及び蓋の係合手段を示す部分拡大断面図である。
【図１６】本発明の実施の形態に係る弁当用容器の調味料の取り出し方法を示す外観斜視図である。
【符号の説明】
【００７４】
１  弁当用容器
２，２Ａ  容器本体
３  底板
６，７  側壁
８，９  取手部
１０，１１  溝孔（係合手段）
５０，５０Ａ  蓋
５１  天板
５４，５５  縁部
５６，５７  突片
６０，６１  切り目
６２，６３  係合片（係合手段）
６４  樹脂フィルム（シート体）
６８  切り込み
６９  第１ポケット
７０  第２ポケット
７１  ポケット口
７２，７３  ミシン目
７４  摘み片
７５  引き裂き部
７６  透孔
１０４  箸類（食事用器具）
１０５  調味料（包装体）
【図１】
2007275340.tif 000003
【図２】
2007275340.tif 000004
【図３】
2007275340.tif 000005
【図４】
2007275340.tif 000006
【図５】
2007275340.tif 000007
【図６】
2007275340.tif 000008
【図７】
2007275340.tif 000009
【図８】
2007275340.tif 000010
【図９】
2007275340.tif 000011
【図１０】
2007275340.tif 000012
【図１１】
2007275340.tif 000013
【図１２】
2007275340.tif 000014
【図１３】
2007275340.tif 000015
【図１４】
2007275340.tif 000016
【図１５】
2007275340.tif 000017
【図１６】
2007275340.tif 000018